(57)【要約】【課題】  撮影レンズの取外し及び取付け作業中に生じる異常音の記録を中止またはその記録音量を調整することにより動画及び周囲環境音の記録を違和感なく継続させることができる撮像装置を提供する。【解決手段】  光学系２を着脱可能な装着部と、装着部に対する光学系２の取外し作業中か否か、及び取付け作業中か否かを検出する検出部２４と、光学系２を介した被写体光を撮像する撮像素子２０と、撮像素子２０から出力される撮像信号に基づく動画を記録する動画記録部２６と、周囲環境の音を記録する音記録部２６と、動画記録部２６による動画の記録及び音記録部２６による音の記録が行われている最中で、且つ検出部２４により光学系２の取外し作業中及び取付け作業中であることを検出している間は、音記録部２６に対して音を所定の音量以下で記録、または音の記録を中止せしめる所定制御を行う制御部２２とを備える。【選択図】  図４
2010050878.tif 000002
【特許請求の範囲】
【請求項１】
光学系を着脱可能な装着部と、
前記装着部に対する前記光学系の取外し作業中か否か、及び取付け作業中か否かを検出する検出部と、
前記光学系を介した被写体光を撮像する撮像素子と、
前記撮像素子から出力される撮像信号に基づく動画を記録する動画記録部と、
周囲環境の音を記録する音記録部と、
前記動画記録部による前記動画の記録及び前記音記録部による前記音の記録が行われている最中で、且つ前記検出部により前記光学系の取外し作業中及び取付け作業中であることを検出している間は、前記音記録部に対して前記音を所定の音量以下で記録、または前記音の記録を中止せしめる所定制御を行う制御部と、
を備えることを特徴とする撮像装置。
【請求項２】
前記検出部は、前記光学系の取外し作業の開始及び終了を検出し、
前記制御部は、前記光学系の取外し作業の開始から終了までの間、前記音記録部に前記所定制御を実行せしめることを特徴とする請求項１記載の撮像装置。
【請求項３】
前記検出部は、前記光学系の取付け作業の開始及び終了を検出し、
前記制御部は、前記光学系の取付け作業の開始から終了までの間、前記音記録部に前記所定制御を実行せしめることを特徴とする請求項１または請求項２記載の撮像装置。
【請求項４】
前記検出部は、前記光学系との有線の通信が可能か否かを判別することにより、前記光学系の取外し作業の開始及び前記光学系の取付け作業の終了を検出することを特徴とする請求項１〜請求項３の何れか一項に記載の撮像装置。
【請求項５】
前記装着部に出没可能な突起部を備え、
前記検出部は、前記突起部が突出しているか否かを判別することにより、前記光学系の取外し作業の終了及び前記光学系の取付け作業の開始を検出することを特徴とする請求項１〜請求項４の何れか一項に記載の撮像装置。
【請求項６】
前記動画が所定状態の画像であるか否かを判定する判定部を備え、
前記検出部は、前記判定部による判定結果に基づいて、前記光学系の取外し作業の終了及び前記光学系の取付け作業の開始を検出することを特徴とする請求項１〜請求項４の何れか一項に記載の撮像装置。
【請求項７】
前記所定状態の画像は、所定値以下の画像輪郭を有する画像であることを特徴とする請求項６記載の撮像装置。
【請求項８】
前記光学系の取外しの終了及び前記光学系の取付けの開始を検出するための有線または無線の検出用通信部を更に備え、
前記検出部は、前記検出用通信部による通信が可能か否かを判別することにより、前記光学系の取外し作業の終了及び前記光学系の取付け作業の開始を検出することを特徴とする請求項１〜請求項４の何れか一項に記載の撮像装置。
【請求項９】
前記制御部は、前記検出部が前記光学系の取外し作業の終了を検出すると、前記音記録部に対して音記録を再開せしめ、前記検出部による前記光学系の取外し作業の終了の検出から前記光学系の取付け作業の開始の検出までの時間が所定時間を超えたときには、前記動画記録部による前記動画の記録及び前記音記録部による前記音の記録を停止することを特徴とする請求項１〜請求項８の何れか一項に記載の撮像装置。
【請求項１０】
前記制御部は、前記所定時間中に前記動画記録部により記録された前記動画及び前記音記録部により記憶された前記音の少なくとも一方の削除の指示がなされているとき、前記削除を実行することを特徴とする請求項９記載の撮像装置。
【請求項１１】
前記削除の指示は、前記動画記録部による前記動画の記録前または記録後になされた指示であることを特徴とする請求項１０記載の撮像装置。
【発明の詳細な説明】
【技術分野】
【０００１】
本発明は、動画及び周囲環境音を記録可能な撮像装置に関するものである。
【背景技術】
【０００２】
例えば一眼レフ式の電子カメラのように撮影レンズが交換可能に構成されている撮像装置において、スルー画像（ライブビュー画像）の表示及びイメージセンサクリーニング（ダストリダクション）を同時に行った場合には、イメージセンサクリーニングを行うことにより生じるノイズや撮像素子の振動等によりスルー画像が見苦しくなるため、スルー画像の表示を固定、またはスルー画像を非表示にしていた（例えば、特許文献１参照）。
【特許文献１】特開２００８−５３８４６号公報
【発明の開示】
【発明が解決しようとする課題】
【０００３】
ところで、スルー画像の表示中にイメージセンサクリーニングを行う場合だけでなく、動画及び周囲環境音の記録中に撮影レンズの交換を行った場合においても、撮影レンズを取り外した状態では被写体像が撮像素子の撮像面に結像されないため、動画及び周囲環境音の記録を停止する場合があった。しかし、この場合には、動画及び音の記録を停止するため、１つのファイルとして撮影レンズ交換前後の動画を記録することができず、更に撮影レンズ交換中の音を記録することができなかった。一方、撮影レンズの交換中においても動画及び音の記録を継続した場合には、撮影レンズを装置本体から取り外す作業中及び装置本体に取り付ける作業中に発生する音が大音量で記録され、動画再生時に違和感のある異常音として再生されるという問題が生じる。
【０００４】
本発明の目的は、撮影レンズの取外し及び取付け作業中に生じる異常音の記録を中止またはその記録音量を調整することにより動画及び周囲環境音の記録を違和感なく継続させることができる撮像装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の撮像装置は、光学系（２）を着脱可能な装着部（１６）と、前記装着部（１６）に対する前記光学系（２）の取外し作業中か否か、及び取付け作業中か否かを検出する検出部（２４）と、前記光学系（２）を介した被写体光を撮像する撮像素子（２０）と、前記撮像素子（２０）から出力される撮像信号に基づく動画を記録する動画記録部（２６）と、周囲環境の音を記録する音記録部（２６）と、前記動画記録部（２６）による前記動画の記録及び前記音記録部（２６）による前記音の記録が行われている最中で、且つ前記検出部（２４）により前記光学系（２）の取外し作業中及び取付け作業中であることを検出している間は、前記音記録部（２６）に対して前記音を所定の音量以下で記録、または前記音の記録を中止せしめる所定制御を行う制御部（２２）とを備えることを特徴とする。
【発明の効果】
【０００７】
本発明の撮像装置によれば、光学系の取外し及び取付け作業中に生じる異常音の記録を中止またはその記録音量を調整することにより動画及び周囲環境音の記録を違和感なく継続させることができる。
【発明を実施するための最良の形態】
【０００８】
以下、図面を参照して、本発明の実施の形態に係る電子カメラについて説明する。図１及び図２は実施の形態に係る電子カメラ１の外観を示す図であり、図１は正面斜視図、図２は背面図である。
【０００９】
図１に示すように、電子カメラ１の正面中央部には、被写体からの光をカメラ内部に導く撮影レンズ２ａを備えたレンズユニット２が装着されている。レンズユニット２は、電子カメラ１本体のマウント開口部１５（図３参照）の周囲に形成されたレンズマウント１６（図３参照）に対して着脱可能に構成されている。また、電子カメラ１の上面には、撮影を行う際に操作されるシャッタボタン３、静止画撮影モードや動画撮影モード等の選択を行うための撮影モードダイアル４が設けられている。また、電子カメラ１の正面には、動画の撮影の際に動画と共に記録される音声等の周囲環境音を集音するマイク５が設けられている。
【００１０】
また、図２に示すように、電子カメラ１の背面上部には、撮影される被写体を視認する光学ファインダ６が設けられており、その下方には、スルー画像、撮影画像及び撮影に関する種々の情報などを表示する背面モニタ７が設けられている。背面モニタ７の右側には、環状に形成されたマルチセレクタ８が設けられており、その内側には、マルチセレクタ８の操作によって選択された項目の決定等の際に押下する決定ボタン８ａが設けられている。また、背面モニタ７の左側には、撮影された画像を背面モニタ７に再生表示させる際に操作される再生ボタン１１、デジタルカメラ１の各種設定を行うメニュー画面の表示などの際に操作されるメニューボタン１２が設けられている。
【００１１】
図３は、レンズユニット２をレンズマウント１６から取り外した状態を示す図である。図３に示すように、レンズマウント１６には、レンズユニット２と電気的に接続するための接続端子１７、及びレンズマウント１６の面に対して出没可能な突起部１８が設けられている。レンズユニット２が電子カメラ１本体に取り付けられているとき、接続端子１７はレンズユニット２のレンズマウント１６との接触面に設けられている図示しない接続端子と電気的に接続されており、電子カメラ１及びレンズユニット２は、有線の通信が可能である。突起部１８は、レンズユニット２が電子カメラ１本体に取り付けられているとき、レンズマウント１６の面に対して埋没している。
【００１２】
レンズユニット２をレンズマウント１６から取り外す際には、まず、レンズマウント１６の側部に設けられた図示しないレンズ取外しボタンを押下した状態でレンズユニット２をレンズマウント１６の側部に表示される着脱指標（図示せず）まで回動させる。レンズユニット２が回動され始めたとき、即ちレンズユニット２の取外し作業を開始したとき、接続端子１７とレンズユニット２の接続端子との接合が外れる。従って、電子カメラ１とレンズユニット２との電気的な接続が解除され、互いに通信できなくなる。レンズユニット２を着脱指標まで回動させた後、レンズユニット２をマウント開口部１５から引き抜く。レンズユニット２が引き抜かれたとき、即ちレンズユニット２の取外し作業が終了したとき、突起部１８は、レンズマウント１６の面に対して突出する。
【００１３】
一方、レンズユニット２をレンズマウント１６に取り付ける際には、まず、レンズユニット２に表示される着脱指標（図示せず）とレンズマウント１６の側部に表示される着脱指標を一致させた状態でレンズユニット２をマウント開口部１５に差し込む。レンズユニット２がマウント開口部１５に差し込まれたとき、即ちレンズユニット２の取付け作業を開始したとき、突起部１８は、レンズマウント１６の面に対して埋没し始める。そして、レンズユニット２をマウント開口部１５に差し込んだ後、接続端子１７とレンズユニット２の接続端子とが接合し、電子カメラ１及びレンズユニット２が互いに通信可能な状態となるまで、レンズユニット２を回動させる。
【００１４】
図４は、実施の形態に係る電子カメラ１のシステム構成を示すブロック図である。撮像素子２０は、ＣＣＤまたはＣＭＯＳ等により構成され、撮影レンズ２ａを介した被写体光を撮像して撮像信号を信号処理部２１に対して出力する。撮像素子２０から出力される撮像信号は、信号処理部２１においてアナログ信号からデジタル信号に変換され、制御部２２に対して出力される。
【００１５】
制御部２２は、マイクロプロセッサ等により構成され、電子カメラ１の各部を統括的に制御する。制御部２２は、信号処理部２１から出力されるデジタル信号の画像データに対して各種の画像処理（ホワイトバランス調正、色補正、階調補正等）を行い、画像処理された画像データを撮影日時、露出等の撮影に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、バッファメモリ２５に一時的に記憶させる。
【００１６】
操作部２３は、電源をオン／オフする電源スイッチ、図１及び図２に示すシャッタボタン３、撮影モードダイアル４、マルチセレクタ８、及び各種ボタン８ａ，１１，１２等を含んで構成されている。検出部２４は、マウント開口部１５に対するレンズユニット２の取外し作業中か否か、及び取付け作業中か否かを検出する。具体的には、レンズユニット２の取外し作業の開始及び終了、取付け作業の開始及び終了を検出する。ここで、取外し作業の開始及び取付け作業の終了は電子カメラ１本体とレンズユニット２とが通信可能であるか否か、取外し作業の終了及び取付け作業の開始は突起部１８が完全に突出しているか否かにより判別する。検出部２４による検出結果は、制御部２２に対して出力される。
【００１７】
記録媒体２６は、電子カメラ１に設けられたカードスロット（図示せず）に着脱可能に装着される可搬性を有する記録媒体であり、例えば、ＣＦカード、ＳＤカード、スマートメディア等が用いられる。記録媒体２６には、制御部２２によりバッファメモリ２５から読み込まれた画像データ及び画像データに付加されている撮影に関する情報等が記録される。また、記録媒体２６には、マイク５により集音された音が記録される。バス２７は、制御部２２から出力される制御信号を電子カメラ１の各部に送信するための送信路である。バス２７には、背面モニタ７、検出部２４、バッファメモリ２５、記録媒体２６が接続されている。
【００１８】
次に、図５に示すフローチャートを参照して、実施の形態に係る電子カメラ１の動画撮影時の処理について説明する。なお、電子カメラ１は、静止画撮影モードと動画撮影モードを有しており、静止画撮影モードは、静止画像の撮影を行うモードであり、動画撮影モードは、動画像の撮影及び周囲環境音（以下、音という）の録音を行うモードである。
【００１９】
まず、制御部２２は、レンズユニット２の装着、及び撮影モードダイアル４により動画撮影モードが選択されたことを確認すると（ステップＳ１０）、ユーザーによりシャッタボタン３が押下されたか否かの判別を行う（ステップＳ１１）。制御部２２は、シャッタボタン３が押下されると（ステップＳ１１：Ｙｅｓ）、撮像素子２０により撮像される被写体像（動画）及びマイク５により集音される音を記録媒体２６に記録させる処理を開始する（ステップＳ１２）。
【００２０】
次に、制御部２２は、検出部２４による検出結果からレンズユニット２との有線の通信が可能か否かの判別を行う（ステップＳ１３）。即ち、接続端子１７とレンズユニット２の接続端子とが接合されている場合には、検出部２４は、制御部２２に対してレンズユニット２との有線の通信が可能であるという検出結果を出力し、接続端子１７とレンズユニット２の接続端子とが接合されていない場合には、検出部２４は、制御部２２に対してレンズユニット２との有線の通信が可能でないという検出結果を出力する。レンズユニット２との有線の通信が可能であると判別した場合（ステップＳ１３：Ｙｅｓ）、制御部２２は、接続端子１７とレンズユニット２の接続端子が接合されていることから、レンズマウント１６に対してレンズユニット２が完全に装着された状態であると判断し、動画及び音の記録を継続する。
【００２１】
一方、レンズユニット２との有線の通信が可能でないと判別した場合（ステップＳ１３：Ｎｏ）、制御部２２は、接続端子１７とレンズユニット２の接続端子が接合されていないことから、レンズマウント１６に対してレンズユニット２が完全に装着されていない状態であると判断する。即ち、制御部２２は、レンズユニット２との有線の通信が可能でないことから、レンズマウント１６に対するレンズユニット２の取外し作業が開始したと判断し、レンズユニット２の取外し作業中に係る処理を開始する（ステップＳ１４）。取外し作業が開始したときとは、レンズユニット２が取外しのために回動され始めたときのことである。なお、レンズ取外しボタンが押されたことを検出することにより、レンズユニット２の取外し作業の開始を検出することもできる。
【００２２】
図６は、ステップＳ１４におけるレンズユニット２の取外し作業中に係る処理について説明するためのフローチャートである。まず、制御部２２は、マイク５により集音される音の記録を中止する（ステップＳ３０）。図７は、電子カメラ１の動画撮影時の処理について説明するためのタイムチャートである。図７に示すように、時間ｔ０のとき、シャッタボタン３が押下され（図５のステップＳ１１）、動画及び音の記録が開始される（ステップＳ１２）。動画及び音の記録は継続され、時間ｔ１のとき、レンズユニット２との有線の通信が可能でないと判別されると（ステップＳ１３：Ｎｏ）、音の記録は中止（中断）されるが、動画の記録は継続される。このとき、背面モニタ７に表示されている動画（スルー画）上に「レンズ交換中」等の文字を表示することもできる。
【００２３】
次に、制御部２２は、検出部２４の検出結果から突起部１８がレンズマウント１６の面に対して完全に突出しているか否かを判別する（ステップＳ３１）。突起部１８がレンズマウント１６の面に対して完全に突出している状態とは、レンズユニット２と突起部１８の先端とが触れておらず、突起部１８の先端がレンズユニット２によりレンズマウント１６の面に向けて押されていない状態のことである。突起部１８がレンズマウント１６の面に対して完全に突出していない場合には（ステップＳ３１：Ｎｏ）、制御部２２は、レンズユニット２が突起部１８の先端をレンズマウント１６の面に向けて押している状態であるため、レンズユニット２が電子カメラ１の本体から完全に取り外されていない、即ちレンズユニット２の取外し作業の途中であると判断し、音の記録の中止（中断）を継続し、動画の記録のみを行う。
【００２４】
一方、突起部１８がレンズマウント１６の面に対して完全に突出している場合には（ステップＳ３１：Ｙｅｓ）、制御部２２は、レンズユニット２と突起部１８の先端とが触れていないため、レンズユニット２が電子カメラ１の本体から完全に取り外された、即ちレンズユニット２の取外し作業が終了したと判断し（レンズユニット２が電子カメラ１の本体から完全に離脱した状態であると判断し）、音の記録を再開する（ステップＳ３２）。取外し作業が終了したときとは、レンズユニット２がマウント開口部１５から完全に引き抜かれたときのことである。図７においては、時間ｔ１〜ｔ２の間はレンズユニット２の取外し作業中であるため、音の記録の中止（中断）は継続され、時間ｔ２のとき、突起部１８がレンズマウント１６の面に対して完全に突出していると判別され（ステップＳ３１：Ｙｅｓ）、音の記録を再開する。
【００２５】
図５に戻り、レンズユニット２の取外し作業が終了した後、制御部２２は、検出部２４の検出結果から突起部１８がレンズマウント１６の面に対して完全に突出しているか否かを判別する（ステップＳ１５）。突起部１８がレンズマウント１６の面に対して完全に突出していない場合には（ステップＳ１５：Ｎｏ）、制御部２２は、レンズマウント１６に対するレンズユニット（レンズユニット２、またはレンズユニット２とは異なる他のレンズユニット、以下まとめてレンズユニット２´という）の取付け作業が開始したと判断し、レンズユニット２´の取付け作業中に係る処理を開始する（ステップＳ１６）。取付け作業が開始したときとは、レンズユニット２´がマウント開口部１５に差し込まれたときのことである。
【００２６】
図８は、ステップＳ１６におけるレンズユニット２´の取付け作業中に係る処理について説明するためのフローチャートである。まず、制御部２２は、マイク５により集音される音の記録を中止する（ステップＳ４０）。図７に示すように、時間ｔ３のとき、突起部１８がレンズマウント１６の面に対して完全に突出していないと判別されると（図５のステップＳ１５：Ｎｏ）、音の記録は中止されるが、動画の記録は継続される。
【００２７】
次に、制御部２２は、検出部２４の検出結果からレンズユニット２´との有線の通信が可能か否かを判別する（ステップＳ４１）。レンズユニット２´との有線の通信が可能でない場合（ステップＳ４１：Ｎｏ）、制御部２２は、レンズユニット２´が完全に装着されていない、即ちレンズユニット２´の取付け作業中であると判断し、音の記録の中止（中断）を継続し、動画の記録のみを行う。一方、レンズユニット２´との通信が可能である場合（ステップＳ４１：Ｙｅｓ）、制御部２２は、レンズユニット２´が完全に装着された、即ちレンズユニット２´の取付け作業が終了したと判断し、音の記録を再開する（ステップＳ４２）。取付け作業が終了したときとは、レンズユニット２´をマウント開口部１５に差し込んだ後、接続端子１７とレンズユニット２´の接続端子とが接合し、電子カメラ１及びレンズユニット２´が互いに通信可能な状態となるまで、レンズユニット２´が回動されたときのことである。図７においては、時間ｔ３〜ｔ４の間は取付けの作業中であるため、音の記録の中止は継続され、時間ｔ４のとき、レンズユニット２´との通信が可能であると判別され（ステップＳ４１：Ｙｅｓ）、音の記録を再開する。このとき、背面モニタ７に表示されている動画（スルー画）上に「レンズ交換中」等の文字を表示していた場合には、音の記録を再開すると同時にその文字の表示を停止する。
【００２８】
一方、図５に戻り、突起部１８がレンズマウント１６の面に対して完全に突出している場合には（ステップＳ１５：Ｙｅｓ）、制御部２２は、レンズユニット２が電子カメラ１から完全に取り外され、音の記録が再開されてから（図６のステップＳ３２の処理から）、所定時間が経過したか否かを判別する（ステップＳ１７）。所定時間は、予め設定され、図示しないメモリ等に記憶されており、変更可能に構成されている。所定時間が経過していない場合には（ステップＳ１７：Ｎｏ）、制御部２２は、ユーザーによるレンズユニット２´の取付け作業の開始を待機するため、ステップＳ１５の処理に戻る。一方、所定時間が経過した場合には（ステップＳ１７：Ｙｅｓ）、制御部２２は、ユーザーによるレンズユニット２´の取付け作業は行われないと判断し、所定時間経過後に係る処理を開始する（ステップＳ１８）。所定時間は、レンズユニット２の取外し作業が終了した後、レンズユニット２´の取付け作業が開始されるか否かの判断に用いられる時間であることを考慮して設定される。
【００２９】
図９は、ステップＳ１８における所定時間経過後に係る処理について説明するためのフローチャートである。まず、制御部２２は、所定時間経過しているため、レンズマウント１６に対してレンズユニット２´が取り付けられることはないと判断し、撮像素子２０により撮像される動画及びマイク５により集音される音の記録を停止する（ステップＳ５０）。即ち、図１０に示すように、時間ｔ２のとき、レンズユニット２の取外し作業が終了したと判別されたため、音の記録を再開するが、所定時間（ｔ６−ｔ２）が経過した時間ｔ６のとき、動画及び音の記録を停止する。
【００３０】
次に、制御部２２は、例えば図１１に示すようなメニューを背面モニタ７において表示する（ステップＳ５１）。そして、制御部２２は、ユーザーによる選択を取得し（ステップＳ５２）、ステップＳ５２において取得したユーザーによる選択に従い、所定時間（ｔ６−ｔ２）中、即ちレンズユニット２の取外し作業の終了時から所定時間経過後までの間に記録された動画及び音の処理を行う（ステップＳ５３）。ユーザーが「動画及び音を保存」を選択した場合には、制御部２２は、所定時間（ｔ６−ｔ２）中に記録媒体２６に記録された動画及び音をそのままの状態で保存する。このとき、時間ｔ０〜ｔ６の間の動画及び音が１つのファイルとして記録媒体２６に記録される。また、ユーザーが「音を保存」を選択した場合には、制御部２２は、所定時間（ｔ６−ｔ２）中に記録媒体２６に記録された動画を例えば黒画像等に置き換え、所定時間（ｔ６−ｔ２）中に記録媒体２６に記録された音をそのままの状態で保存する。このとき、時間ｔ０〜ｔ６の間の動画（時間ｔ２〜ｔ６の間は黒画像等）及び音が１つのファイルとして記録媒体２６に記録される。また、ユーザーが「動画及び音を削除」を選択した場合には、制御部２２は、所定時間（ｔ６−ｔ２）中に記録媒体２６に記録された動画及び音を削除する。このとき、時間ｔ０〜ｔ２の間の動画及び音が１つのファイルとして記録媒体２６に記録される。
【００３１】
なお、レンズユニット２の取外し作業が終了してから所定時間が経過する前に、レンズユニット２´が取り付けられることなく電源スイッチがオフされた場合にもステップＳ５０〜Ｓ５３と同様の処理を行う。この場合には、次に電源スイッチがオンされたときに図１１に示すようなメニューを表示し、ユーザーによる選択を取得する。また、所定時間経過後、ユーザーがメニュー画面において選択を行わずに電源スイッチがオフされた場合にも同様の処理を行う。
【００３２】
図５に戻り、レンズユニット２´の取付け作業が終了した後、制御部２２は、ユーザーによりシャッタボタン３が押下されたか否かの判別を行う（ステップＳ１９）。シャッタボタン３が押下されていない場合には（ステップＳ１９：Ｎｏ）、制御部２２は、ステップＳ１３に戻り、ステップＳ１３〜ステップＳ１９の処理を繰り返す。一方、シャッタボタン３が押下されると（図７に示す時間ｔ５）、制御部２２は、撮像素子２０により撮像される被写体像（動画）及びマイク５により集音される音を記録媒体２６に記録させる処理を終了する（ステップＳ２０）。
【００３３】
なお、動画撮影時の何れのタイミングにおいても、ユーザーによりシャッタボタン３が押下された場合には、動画及び音の記録を終了する。レンズユニット２が取り外されてから所定時間が経過する前に、レンズユニット２´が取り付けられることなくシャッタボタン３が押下された場合には、ステップＳ５０〜Ｓ５３の処理を行う。
【００３４】
この実施の形態に係る電子カメラによれば、レンズユニットの取外し及び取付け作業中に生じる異常音の記録を中止することにより、レンズユニットの取外し作業中及び取付け作業中に発生する音が大音量で記録されるのを防止することができ、動画及び音の記録を違和感なく継続させることができる。したがって、１つのファイルとしてレンズユニットの交換前後の動画を記録することもでき、更にレンズユニットの取外し作業の終了から取付け作業の開始までの間の音を記録することもできる。また、レンズユニット２が取り外されてから、レンズユニット２´が取り付けられることがなく所定時間が経過した場合、所定時間中に記録された動画及び音の保存または削除を選択することができる。したがって、レンズユニット２を取り外したときに動画記録を終了させる予定だった場合には所定時間中に記録された動画及び音を削除することにより記録媒体の容量を有効に使用することができ、レンズユニット２を取り外したときに動画記録を終了させない予定だった場合には所定時間中に記録された動画及び音、または音を保存することができる。
【００３５】
なお、この実施の形態においては、レンズユニット２の取外し作業の開始から終了まで、及びレンズユニット２´の取付け作業の開始から終了までの間、音の記録を中止しているが、音を所定の音量以下で記録することもできる。所定の音量は、予め設定され、図示しないメモリ等に記憶されており、変更可能に構成されている。音を小さい音量で記録することにより、レンズユニットの取外し作業中や取付け作業中に発生する音も小さい音で記録される。また、周囲の音声等も小さい音量ではあるが記録されるため、再生時に音が突然途切れることもなく、違和感なく動画及び音を再生することができる。
【００３６】
また、この実施の形態においては、レンズユニット２の取外し作業の終了を、突起部１８が突出しているか否かを判別することにより検出しているが、図１２に示すように、突起部１８に代えてレンズマウント１６上にレンズユニット２と電気的に接続するための検出用接続端子３０を設け、この検出用接続端子３０を用いて検出することもできる。即ち、レンズユニット２を着脱指標まで回動させた後にレンズユニット２の接続端子と接合する位置に検出用接続端子３０を設ける。レンズユニット２が電子カメラ１本体に完全に取り付けられているとき、検出用接続端子３０は、レンズユニット２の接続端子と接合しておらず、電子カメラ１及びレンズユニット２は、検出用接続端子３０を介した有線の通信を行うことができない。レンズユニット２を着脱指標まで回動させた後、検出用接続端子３０は、レンズユニット２の接続端子と接合し、電子カメラ１及びレンズユニット２は、検出用接続端子３０を介した有線の通信を行うことができる。そして、レンズユニット２が電子カメラ１本体から引き抜かれたとき、検出用接続端子３０とレンズユニット２の接続端子との接合が外れ、電子カメラ１及びレンズユニット２は、再び検出用接続端子３０を介した有線の通信を行うことができなくなる。したがって、制御部２２は、検出部２４を介して、検出用接続端子３０を介した有線の通信が可能であることを検出した後、再び検出用接続端子３０を介した有線の通信を行うことができなくなったことを検出することにより、レンズユニット２の取外し作業が終了したと判断する。
【００３７】
また、レンズユニット２の取外し作業の終了及びレンズユニット２´の取付け作業の開始を、記録中の動画の状態より検出することもできる。即ち、記録中の動画の画像輪郭（エッジ）を検出し、検出した動画の画像輪郭が所定値以下であるか否かを判別することにより、レンズユニット２の取外し作業の終了及びレンズユニット２´の取付け作業の開始を検出する。所定値は、予め設定され、図示しないメモリ等に記憶されており、変更可能に構成されている。画像輪郭が所定値以下である画像とは、画像輪郭がはっきりしない画像のことである。画像輪郭が所定値以下となったとき、制御部２２は、撮影レンズを介していない被写体光を撮像素子２０が撮像しているため画像輪郭がはっきりしない動画を記録していると判断し、レンズユニット２の取外し作業が終了したと判断する。一方、レンズユニット２の取外し作業の終了後、画像輪郭が所定値より大きくなったとき、制御部２２は、レンズユニット２´の取付け作業を開始したため撮影レンズを介した被写体光を撮像素子２０が撮像し始めたと判断し、レンズユニット２´の取付け作業が開始したと判断する。
【００３８】
また、レンズユニット２，２´に無線通信用の送信部、電子カメラ１本体に無線通信用の受信部を設け、この無線通信用の送信部及び受信部を用いてレンズユニット２の取外し作業の終了及びレンズユニット２´の取付け作業の開始を検出することもできる。即ち、レンズユニット２が電子カメラ１本体に取り付けられているとき、受信部は、送信部から送信される信号を受信でき、レンズユニット２が電子カメラ１本体から引き抜かれたとき、受信部は、送信部から送信される信号を受信することができなくなるように設定する。具体的には、受信部が送信部から送信される信号を受信できる距離を数ｍｍ〜１ｃｍに設定する。そして、制御部２２は、検出部２４を介して、受信部による送信部からの信号の受信ができなくなったことを検出することにより、レンズユニット２の取外し作業が終了したと判断する。また、制御部２２は、検出部２４を介して、受信部による送信部からの信号の受信が可能であることを検出することにより、レンズユニット２´の取付け作業が開始したと判断する。
【００３９】
また、この実施の形態においては、所定時間経過後に背面モニタ７にメニューを表示し、ユーザーによる選択を取得しているが、所定時間中に記録された動画及び音を保存、音を保存、または動画及び音を削除するかを予め設定しておいてもよい。この場合には、所定時間経過後に背面モニタ７にメニューを表示することなく、予め設定されているユーザーによる選択に従い、所定時間中に記録された動画及び音の処理を行う。
【００４０】
また、外付けマイクを電子カメラ１の音入力端子を介して接続し、マイク５からでなく、接続された外付けマイクから音を集音して記録する場合、外付けマイクの配置位置を調整することにより、レンズユニットの取外し作業中及び取付け作業中に発生する音が大音量で記録されるのを防止することができる。したがって、制御部２２は、外付けマイクからの音を記録している場合には、レンズユニットの取外し作業中及び取付け作業中に音の記録を中止することなく、動画及び音の記録を継続する。
【図面の簡単な説明】
【００４１】
【図１】実施の形態に係る電子カメラの外観を示す正面斜視図である。
【図２】実施の形態に係る電子カメラの外観を示す背面図である。
【図３】レンズユニットを取り外した状態を示す図である。
【図４】実施の形態に係る電子カメラのシステム構成を示すブロック図である。
【図５】実施の形態に係る電子カメラの動画撮影時の処理について説明するためのフローチャートである。
【図６】レンズユニットの取外し作業中に係る処理について説明するためのフローチャートである。
【図７】実施の形態に係る電子カメラの動画撮影時の処理について説明するためのタイムチャートである。
【図８】レンズユニットの取付け作業中に係る処理について説明するためのフローチャートである。
【図９】所定時間経過後に係る処理について説明するためのフローチャートである。
【図１０】実施の形態に係る電子カメラの動画撮影時の処理について説明するためのタイムチャートである。
【図１１】メニューが背面モニタに表示されている状態を示す図である。
【図１２】他の電子カメラの外観を示す図である。
【符号の説明】
【００４２】
１…電子カメラ、２…レンズユニット、２ａ…撮影レンズ、３…シャッタボタン、４…撮影モードダイアル、５…マイク、６…光学ファインダ、７…背面モニタ、８…マルチセレクタ、１５…マウント開口部、１６…レンズマウント、１７…接続端子、１８…突起部、２０…撮像素子、２１…信号処理部、２２…制御部、２３…操作部、２４…検出部、２５…バッファメモリ、２６…記録媒体、２７…バス。
【図１】
2010050878.tif 000003
【図２】
2010050878.tif 000004
【図３】
2010050878.tif 000005
【図４】
2010050878.tif 000006
【図５】
2010050878.tif 000007
【図６】
2010050878.tif 000008
【図７】
2010050878.tif 000009
【図８】
2010050878.tif 000010
【図９】
2010050878.tif 000011
【図１０】
2010050878.tif 000012
【図１１】
2010050878.tif 000013
【図１２】
2010050878.tif 000014